(57)【要約】【課題】  V5.2インタフェースのE1リンクを識別するリンクIDとE1リンクが実装されるポートの番号の対応情報は保守者によって設定されるが、設定ミスや接続ミスが発生し、そのミスの特定は困難な作業になる場合があるので、現状のE1リンクの対応状態を確認し、確認された対応情報に基づいて運用する加入者線伝送装置を提供することを目的とする。【解決手段】  V5.2インタフェースの複数のE1リンクIDと該E1リンクのポート番号との対応情報を一時的に設定する仮設定テーブルとV5.2インタフェースを運用するための該対応情報を設定する運用設定テーブルを有するシステム制御部と、該E1リンクの立上げ手順、リンクID検証手順を実施するV5.2プロトコル処理部と、該立上げ手順により確立したE1リンクを用い、該仮設定テーブルの情報に基づいて、該V5.2インタフェースの通信制御プロトコルパスを確立するV5.2プロトコル制御部を備える。【選択図】  図１
2006261972.tif 000002
【特許請求の範囲】
【請求項１】
V5.2インタフェースのリンクIDと該E1リンクのポート番号を設定するV5.2インタフェースを備える加入者線伝送装置において、
V5.2インタフェースの複数のリンクIDと該E1リンクのポート番号との対応情報を一時的に設定する仮設定テーブルとV5.2インタフェースを運用するための該対応情報を設定する運用設定テーブルを備えるシステム制御部と、
該E1リンクの立上げ手順、リンクID検証手順を実施するV5.2プロトコル処理部と、
該立上げ手順により確立したE1リンクを用い、該仮設定テーブルの情報に基づいて、該V5.2インタフェースの通信制御プロトコルパスを確立するV5.2プロトコル制御部、
を備えることを特徴とする加入者線伝送装置。
【請求項２】
請求項１に記載の加入者線伝送装置において、
前記の確立された通信制御プロトコルパスを介して、該当するV5.2インタフェースの全てのE1リンクに対しリンクID検証手順を実施することを特徴とする加入者線伝送装置。
【請求項３】
請求項２に記載の加入者線伝送装置において、
前記のリンクID検証手順の中で該当するV5.2インタフェースの全てのE1リンクのSa７ビットの変化を検出し、該リンクID検証手段の該当するリンクIDとポートの接続状態を確認することを特徴とする加入者線伝送装置。
【請求項４】
請求項３に記載の加入者線伝送装置において、
前記の確認されたリンクIDとポート番号との対応情報を前記の運用設定テーブルに設定することを特徴とする加入者線伝送装置。
【請求項５】
請求項４に記載の加入者線伝送装置において、
前記のリンクID検証手順後に前記の運用設定テーブルに格納された対応情報に基づいて運用することを特徴とする加入者線伝送装置。
【発明の詳細な説明】
【技術分野】
【０００１】
本発明は加入者線伝送装置に係り、特に、V5.2インタフェースを備える加入者線伝送装置において、V5.2インタフェースのE1リンクIDとインタフェースのポート番号の対応情報を自動的に認識し設定する加入者線伝送装置に関する。
【０００２】
なお、V5.2インタフェースは国際電気通信連合の電気通信標準化部門（ITU-T: international telecommunication union- telecommunication standardization sector）のG.965に規定され、E1リンクはV5.2インタフェースを構成する2.048Mbit/secのリンクである。
【背景技術】
【０００３】
加入者交換機（LE：local exchange）と加入者端末を収容するアクセス網（AN：access network）間のインタフェースとしてV5.1インタフェースとV5.2インタフェースが規定されている。
【０００４】
図７はV5.2インタフェースを説明する図であり、図８はV5.2インタフェース適用構成を説明する図である。１はアクセスネットワーク（AN：access network）、10は加入者線伝送装置（AN：access node）、20は加入者交換機（LE：local exchange）である。以降、加入者線伝送装置をAN、加入者交換機をLEと略する。
【０００５】
V5.2インタフェースは最大16本の物理リンクとしてのE1リンクから構成される（リンク番号として、LINK ID=100〜LINK ID=115とする）。該E1リンクは2.048Mbit/secの時分割多重リンクであり、64kbit/secの32個のタイムスロット（TS0〜TS31）を有する。タイムスロットTS0とTS16は、該E1リンクの状態制御等の通信制御プロトコルを実施するための通信制御プロトコルパス（C-path）として使用される。該通信制御プロトコルパスには、アナログ呼の接続制御を行うPSTN(public switched telephone network)プロトコル、システム立上げ等のAN 10とLE 20の状態を制御するコントロールプロトコル、AN 10とLE 20間のE1リンクの状態を制御するリンクコントロールプロトコル、通話路の接続を制御するBCC(bearer channel control)プロトコル、AN 10とLE 20間の制御チャネルの切り替えを制御するプロテクションプロトコルがある。
【０００６】
AN 10とLE 20は同じ局舎内に設置する場合や、図８に示すようにV5.2インタフェースを備えるSONET/SDH/PDH(synchronous optical network/synchronous digital hierarchy/plesiochronous digital hierarchy)伝送装置から構成されるSONET/SDH/PDH伝送網を介して、遠隔地に位置するAN 10とLE 20がインタフェースする構成がある。その適用例として、加入者がLE 20の設置される親局から加入者線伝送の規定外となる遠隔地に点在する場合に、該親局にて該当する遠隔地の加入者の呼信号を多重してSONET/SDH/PDH伝送網を介して遠隔地の子局まで伝送するCT-RT方式や、ANとして基地局装置、LEとして移動交換機、AN-LE間をSONET/SDH/PDH伝送網を介する移動通信網となる構成が考えられる。
【０００７】
上記のV5.2インタフェースの該通信制御プロトコルのリンクコントロールプロトコルには、リンクID検証手順が含まれる。該リンクID検証手順は、AN 10とLE 20の間にて規定された制御信号を送受信することでE1リンクの物理的な接続状態の正常性を確認する。
【０００８】
図９はリンクID検証手順を説明する図である。本図はAN 10からLE 20に対してリンクID検証手順を実施する場合を示している。
【０００９】
AN 10は、先ずE1リンクが物理的にV5.2インタフェースのポートに接続され、E1リンクの立上げ手順でのE1リンクフラグ信号、エラー検出信号によって、前記のTS0とTS16による通信制御プロトコルパスが確立されたことを判断する（図示せず）。
【００１０】
(1) 次に、AN 10はLE 20に対して、AN 10とLE 20の双方のリンクIDの認識が一致しているかを、LINK ID=100に対して検証するために、FE-ID Req :LINK ID=100を、通信制御プロトコルパスを介して送信する。
【００１１】
(2) LE 20は該FE-ID Req :LINK ID=100を受信すると、LINK ID=100に該当するリンクの送信するE1リンクのTS0のSa7ビットの値を“1”から“0”にし、AN 10に送信する。
【００１２】
(3) LE 20はAN 10に対して、FE-ID Ack :LINK ID=100を、通信制御プロトコルパスを介して返信する。これは、LINK ID=100について、前記の所定の動作の開始をAN 10に通知することを、意味する。
【００１３】
(4) AN 10は上記(1)で送信したFE-ID Req :LINK ID=100に対する応答を待っており、LE 20から上記(3)のFE-ID Ack :LINK ID=100を受信した際に、LINK ID=100のE1リンクのTS0のSa7ビットの値を確認し、“0”であれば該当するLINK ID=100のE1リンクがLE 20側でもLINK ID=100として認識されていると判断する。このリンクのリンクID検証手順の終了処理として、AN 10はFE-ID Rel :ID=100を、通信制御プロトコルパスを介して送信する。
【００１４】
(5) LE 20は該FE-ID Rel :LINK ID=100を受信すると、LINK ID=100に該当するリンクの送信するE1リンクのTS0のSa7ビットの値を“1”に戻す。
【００１５】
もし、AN 10において上記(2)のSa7ビットの値“0”が検出されない場合は、該当するE1リンクの接続は正常でないと判断する。
【００１６】
このように、V5.2インタフェースのE1リンクの接続について確認され、接続の異常が検出された場合、保守者はAN 10とLE 20のリンクIDが一致するように、該E1リンクの接続換え等を実施する。
【００１７】
また、上記のAN 10とLE 20で構成されるシステムの何らかの要因により、上記のリンクID検証手順の(2)において検出するSa7ビットが常に“0”であった場合、上記のリンクID検証手順では該当するリンクを正常と判断してしまう。これを解決する技術として、リンクID検証手順を実施する前にSa7ビットを検出し、リンクの正常性を判断する技術が開示されている（例えば、特許文献１参照）。
【特許文献１】特開2001-285482
【発明の開示】
【発明が解決しようとする課題】
【００１８】
AN 10において、V5.2インタフェースのE1リンクを識別するリンクIDと物理的に該E1リンクが実装されるポート番号の設定は、LE 20のリンクIDとポート番号に基づいて設定される。しかしながら、保守者の接続ミス、設定ミス等により正しく接続されていない場合が発生するという課題がある。また、前記の場合、接続ミスがあることは前記のリンクID検証手順にて検出されるが、前記の図８のようにAN 10とLE 20間にSDH網等が介在していた場合等には、接続ミスの発生箇所を特定することは困難な作業となる場合がある。
【００１９】
本発明は、該リンクID検証手順においてE1リンクの接続に異常が検出された場合に、E1リンクの接続状態を認識し、設定されているリンクIDとポート番号との対応情報を変更して運用する加入者線伝送装置を提供することを目的とする。
【課題を解決するための手段】
【００２０】
本発明は、V5.2インタフェースのリンクIDと該E1リンクのポート番号を設定するV5.2インタフェースを有する加入者線伝送装置において、V5.2インタフェースの複数のリンクIDと該E1リンクのポート番号との対応情報を一時的に設定する仮設定テーブルとV5.2インタフェースを運用するための該対応情報を設定する運用設定テーブルを有するシステム制御部と、該E1リンクの立上げ手順、リンクID検証手順を実施するV5.2プロトコル処理部と、該立上げ手順により確立したE1リンクを用い、該仮設定テーブルの情報に基づいて、該V5.2インタフェースの通信制御プロトコルパスを確立するV5.2プロトコル制御部を備えることを特徴とする加入者線伝送装置である。
【００２１】
本発明によれば、V5.2インタフェースを構成する複数のリンクIDと接続ポートとの対応状態を確認でき、該確認のできた対応情報に基づいてV5.2インタフェースを運用することが可能となる。
【発明の効果】
【００２２】
本発明の加入者線伝送装置は、V5.2インタフェースのリンクID検証手順によって、V5.2インタフェースを構成する複数のE1リンクに設定されているリンクIDと接続ポートの対応状態を確認でき、該確認のできた対応情報に基づいて、リンクIDとポート番号との対応情報を変更して、V5.2インタフェースを運用することによって、保守者による該E1リンクの接続換えや該接続換えによるAN 10とLE 20から構成されるシステムの立上げ作業を効率的に実施することが可能となる。
【発明を実施するための最良の形態】
【００２３】
以降、図面を併用して本発明の詳細について説明する。なお、図面において同一のものまたは類似するものについては同一の符号を記載している。
【００２４】
なお、以降の説明及び図にて使用しているリンクIDの番号、V5インタフェースIDの番号、及びポートの番号は、本発明を説明するうえで便宜上設定した番号であり、本発明内容を限定するものではない。
【実施例１】
【００２５】
図１は加入者線伝送装置(AN)の構成を説明する図である。10は加入者線伝送装置(AN)、20は加入者交換機(LE)、30は加入者端末、40はオペレーション台、11はE1リンクインタフェース部、12はV5.2プロトコル処理部、13はV5.2プロトコル制御部、14はシステム制御部、15は集線部、16は加入者回路である。LE 20にもE1インタフェース部やV5.2プロトコル処理部等を有するが説明を省略する。
【００２６】
V5.2インタフェースのE1リンクは、E1インタフェース部11にて終端される。E1インタフェース部11は、E1インタフェース回路をLE 20と接続されるE1リンクの数に応じて備える。E1リンクインタフェース部11で終端されたE1リンクのTS0、TS16の信号は、V5.2プロトコル処理部12に接続される。E1リンクのTS1-15、TS17-31の音声信号は集線部15に接続される。
【００２７】
V5.2プロトコル処理部12は、前記のPSTNプロトコル、コントロールプロトコル、リンクコントロールプロトコル、BCCプロトコル、プロテクションプロトコルを処理する。E1リンクの立上げ手順や前記のリンクID検証手順もV5.2プロトコル処理部12が処理する。V5.2プロトコル制御部13は、該立上げ手順により確立したE1リンクを用いて、システム制御部14からの情報に基づいて、V5.2インタフェースの通信制御プロトコルパスを確立するように、V5.2プロトコル処理部を制御する。システム制御部14は、V5.2インタフェースの複数のリンクIDと該E1リンクのポート番号との対応情報を一時的に設定する仮設定テーブルと、V5.2インタフェースを運用するための該対応情報を設定する運用設定テーブルを備え、前記のリンクID検証手順においては、該仮設定テーブルの対応情報をV5.2プロトコル制御部13等に与え、該リンクID検証手順終了後には該リンクID検証手順によって確認できた対応情報を運用設定テーブルの対応情報に反映し、該反映された運用設定テーブルの対応情報をV5.2プロトコル制御部13等に与える。また、システム制御部14は、E1インタフェース部11、加入者回路16の状態の監視及び制御、警報の監視及び制御を行う。オペレーション台40は、前記の仮設定テーブルへの対応情報の入力、AN 10の状態監視を行う。
【００２８】
集線部15はBCCプロトコルの制御に基づいてE1リンクのTS1-15とTS17-31の音声信号と加入者回路間接続を随時行うことによって、加入者端末の音声信号等の集線処理を実施する。加入者回路16は加入者端末30を終端する。加入者端末30は加入者宅内に設置されるアナログ電話端末やディジタル電話端末等である。
【００２９】
図２はリンクIDとポート番号との対応情報を説明する図（１）である。41は仮設定テーブル、42は運用設定テーブルである。仮設定テーブル41は、LE 20のV5.2インタフェースのリンクIDに基づいて、AN 10のリンクIDとポート番号とを一時的に対応付けた対応情報を格納するテーブルである。運用設定テーブル42は、図３で説明する制御シーケンスの実施によって確認されたAN 10の対応情報を格納するテーブルである。V5インタフェースIDは、保守エリア単位に設定されるV5.1インタフェースもしくはV5.2インタフェースを識別するための番号である。１次リンクとは、V5.2インタフェースを構成する複数のE1リンクの中で通信制御プロトコルパスを設定する現用リンクであり、１次リンクIDは該１次リンクの識別記号である。２次リンクとは、V5.2インタフェースを構成する複数のE1リンクの中で通信制御プロトコルパスを設定する予備リンクであり、２次リンクIDは該２次リンクの識別記号である。３次リンクとは、V5.2インタフェースを構成する複数のE1リンクの中で１次リンク、２次リンクを除いたE1リンクであり、３次リンクIDは該３次リンクの識別記号である。該仮設定テーブルには、1次リンクID、２次リンクID、３次リンクIDがそれぞれ接続されるポートを示すポート番号が対応づけられている。V5リンク本数はV5.2インタフェースで使用するE1リンク数である。
【００３０】
図３は制御シーケンスを説明する図（１）である。オペレータは、オペレーション台40からAN 10のシステム制御部14に対して、仮設定テーブル41の情報をLE 20のE1リンクの数やリンクIDに基づいて入力する（図示せず）。
【００３１】
仮設定テーブル41に入力された対応情報は次の内容である。V5インタフェースIDは654321である。該V5インタフェースIDで用いるように、予め設定されていた各リンクIDにポート番号を一時的に対応付ける。ここでは、１次リンクはID=100であり、ポート１に対応付ける。２次リンクはID=101であり、ポート２に対応付ける。３次リンクはID=102,103の２本であり、ポート３，４にそれぞれ対応付ける。V5リンク本数は以上に示した４リンクである。
【００３２】
シーケンス(11)（以降S(11)と記載する）：E1リンクをそれぞれのポートに接続する。これは、AN 10とLE 20の各ポートとを物理的にケーブル等で接続することを意味する。
【００３３】
S(12)：E1リンクフラグがポート１のE1リンクインタフェース部11にて検出されたとする。ここで、E1リンクフラグは、対向装置とE1インタフェースにて通信可能であることを示すフラグであり、１次リンク〜３次リンクのいずれにも転送される。
【００３４】
S(13)：該E1リンクフラグの検出によって、システム制御部14を介してV5.2プロトコル制御部13はV5.2プロトコル処理部12を制御し、該ポート１の１次リンクID=100に対して立上げ手順を実施する。しかし通信制御プロトコルパスは確立できなかったとする。これは、ポート１に対応するE1リンクが、LE20にて通信プロトコルパスとして使用される１次リンクではないことを意味する。
【００３５】
S(14)：E1リンクフラグを検出した順に該当するポートの通信制御プロトコルパスの立上げ手順を実施する。
【００３６】
S(15)：E1リンクフラグがポート４のE1リンクインタフェース部11にて検出されたとする。
【００３７】
S(16)：該E1リンクフラグの検出によって、システム制御部14を介してV5.2プロトコル制御部13はV5.2プロトコル処理部12を制御し、該ポート４を用いて、通信制御プロトコルパスの立上げ手順を開始する。通信制御プロトコルパスの確立ができたとする。これは、このリンクがLE20側の１次リンクであることを意味する。
【００３８】
S(17)：システム制御部14は仮設定テーブル41の情報に基づいて、１次リンクのリンクIDについて、リンクID検証手順を実施するようにV5.2プロトコル制御部13を制御する。V5.2プロトコル処理部12は、通信制御プロトコルパスが確立しているポート４を用いて、１次リンクに対してリンクID検証手順を実施する。即ち、FE-ID Req :LINK ID=100を、通信制御プロトコルパスを介して送信する。LE 20は該FE-ID Req :LINK ID=100を受信すると、LE 20において設定されているLINK ID=100に対応するリンクの送信するTS0のSa7ビットの値を“0”にする。他のリンクIDを有するリンクではTS0のSa7ビットの値は“1”である。そしてLE 20はAN 10に対して、FE-ID Ack :LINK ID=100を、通信制御プロトコルパスを介して返信する。AN 10は上記で送信したFE-ID Req :LINK ID=100に対する応答を待っており、LE 20から上記のFE-ID Ack :LINK ID=100を受信した際に、全てのE1リンクのTS0のSa7ビットを監視して、“0”となるE1リンクを検出する。本実施例では、ポート４に対応するリンクのSa7ビットで“0”が検出され、このリンクがLINK ID=100の１次リンクであることが確認される。そして、リンクID検出手順の終了処理として、AN 10はFE-ID Rel :ID=100を、通信制御プロトコルパスを介して送信する。LE 20は該FE-ID Rel :LINK ID=100を受信すると、LINK ID=100に該当するリンクの送信するE1リンクのTS0のSa7ビットの値を“1”にする。（なお、S(17)の手順は図９にて説明した手順と同じである。）
S(18)：該TS0のSa7ビットが“0”になり“1”となったE1リンクがポート４のE1リンクであることをシステム制御部14が認識し、運用設定テーブル42の１次リンクID=100に対するポート番号をポート４に決定し、書き込む。
【００３９】
S(19)：システム制御部14は仮設定テーブル41の情報に基づいて、２次リンクのリンクIDについて、リンクID検証手順を実施するようにV5.2プロトコル制御部13を制御する。V5.2プロトコル処理部12は、通信制御プロトコルパスが確立しているポート４を用いて、２次リンクに対してリンクID検証手順を実施する。即ち、FE-ID Req :LINK ID=101を、通信制御プロトコルパスを介して送信する。LE 20は該FE-ID Req :LINK ID=101を受信すると、LE 20において設定されているLINK ID=101に対応するリンクの送信するTS0のSa7ビットの値を“0”にする。他のリンクIDを有するリンクではTS0のSa7ビットの値は“1”である。そしてLE 20はAN 10に対して、FE-ID Ack :LINK ID=101を、通信制御プロトコルパスを介して返信する。AN 10は上記で送信したFE-ID Req :LINK ID=101に対する応答を待っており、LE 20から上記のFE-ID Ack :LINK ID=101を受信した際に、全てのE1リンクのTS0のSa7ビットを監視して、“0”となるE1リンクを検出する。本実施例では、ポート３に対応するリンクのSa7ビットで“0”が検出され、このリンクがLINK ID=101の２次リンクであることが確認される。そして、リンクID検出手順の終了処理として、AN 10はFE-ID Rel :ID=101を、通信制御プロトコルパスを介して送信する。LE 20は該FE-ID Rel :LINK ID=101を受信すると、LINK ID=101に該当するリンクの送信するE1リンクのTS0のSa7ビットの値を“1”にする。（なお、S(19)の手順は図９にて説明した手順と同じである。）
S(20)：該TS0のSa7ビットが“0”になり“1”となったE1リンクがポート３のE1リンクであることをシステム制御部14が認識し、運用設定テーブル42の２次リンクID=101に対するポート番号をポート３に決定し、書き込む。
【００４０】
同様に３次リンクに対して、同様に上記のS(17),S(18)もしくはS(19),S(20)を実施する。
【００４１】
S(21)：システム制御部14は仮設定テーブル41の情報に基づいて、３次リンクのリンクIDについて、リンクID検証手順を実施するようにV5.2プロトコル制御部13を制御する。V5.2プロトコル処理部12は、通信制御プロトコルパスが確立しているポート４を用いて、３次リンクに対してリンクID検証手順を実施する。即ち、FE-ID Req :LINK ID=102を、通信制御プロトコルパスを介して送信する。LE 20は該FE-ID Req :LINK ID=102を受信すると、LE 20において設定されているLINK ID=102に対応するリンクの送信するTS0のSa7ビットの値を“0”にする。他のリンクIDを有するリンクではTS0のSa7ビットの値は“1”である。そしてLE 20はAN 10に対して、FE-ID Ack :LINK ID=102を、通信制御プロトコルパスを介して返信する。AN 10は上記で送信したFE-ID Req :LINK ID=102に対する応答を待っており、LE 20から上記のFE-ID Ack :LINK ID=102を受信した際に、全てのE1リンクのTS0のSa7ビットを監視して、“0”となるE1リンクを検出する。本実施例では、ポート２に対応するリンクのSa7ビットで“0”が検出され、このリンクがLINK ID=102の３次リンクであることが確認される。そして、リンクID検出手順の終了処理として、AN 10はFE-ID Rel :ID=102を、通信制御プロトコルパスを介して送信する。LE 20は該FE-ID Rel :LINK ID=102を受信すると、LINK ID=102に該当するリンクの送信するE1リンクのTS0のSa7ビットの値を“1”にする。（なお、S(21)の手順は図９にて説明した手順と同じである。）
S(22)：該TS0のSa7ビットが“0”になり“1”となったE1リンクがポート２のE1リンクであることをシステム制御部14が認識し、運用設定テーブル42の３次リンクID=102に対するポート番号をポート２に決定し、書き込む。
【００４２】
S(23)：システム制御部14は仮設定テーブル41の情報に基づいて、３次リンクの次のリンクのリンクIDについて、リンクID検証手順を実施するようにV5.2プロトコル制御部13を制御する。V5.2プロトコル処理部12は、通信制御プロトコルパスが確立しているポート４を用いて、次のリンクに対してリンクID検証手順を実施する。即ち、FE-ID Req :LINK ID=103を、通信制御プロトコルパスを介して送信する。LE 20は該FE-ID Req :LINK ID=103を受信すると、LE 20において設定されているLINK ID=103に対応するリンクの送信するTS0のSa7ビットの値を“0”にする。他のリンクIDを有するリンクではTS0のSa7ビットの値は“1”である。そしてLE 20はAN 10に対して、FE-ID Ack :LINK ID=103を、通信制御プロトコルパスを介して返信する。AN 10は上記で送信したFE-ID Req :LINK ID=103に対する応答を待っており、LE 20から上記のFE-ID Ack :LINK ID=103を受信した際に、全てのE1リンクのTS0のSa7ビットを監視して、“0”となるE1リンクを検出する。本実施例では、ポート１に対応するリンクのSa7ビットで“0”が検出され、このリンクがLINK ID=103の３次リンクであることが確認される。そして、リンクID検出手順の終了処理として、AN 10はLE-ID Rel :ID=103を、通信制御プロトコルパスを介して送信する。LE 20は該FE-ID Rel :LINK ID=103を受信すると、LINK ID=103に該当するリンクの送信するE1リンクのTS0のSa7ビットの値を“1”にする。（なお、S(23)の手順は図９にて説明した手順と同じである。）
S(24)：該TS0のSa7ビットが“0”になり“1”となったE1リンクがポート１のE1リンクであることをシステム制御部14が認識し、運用設定テーブル42の３次リンクID=103に対するポート番号をポート１に決定し、書き込む。
【００４３】
以上のシーケンスによって、運用設定テーブル42は図２に示すような現状の接続状態を反映した対応情報になっている。よって、運用設定テーブル42の対応情報に基づいた集線等の制御が可能となる。
【実施例２】
【００４４】
リンクID検証手順に問題が発生した場合について説明する。
【００４５】
図４はリンクIDとポート番号との対応情報を説明する図（２）である。43はLE 20のV5.2インタフェースのリンクIDに基づいて、AN 10のリンクIDとポート番号とを一時的に対応付けた対応情報を格納する仮設定テーブルである。44は図５で説明する制御シーケンスの実施によって確認されたAN 10の対応情報を格納する運用設定テーブルである。
【００４６】
図５は制御シーケンスを説明する図（２）である。オペレータはオペレーション台40からAN 10のシステム制御部14に対して、仮設定テーブル43の情報をLE 20のE1リンクの数やリンクIDに基づいて入力する（図示せず）。
【００４７】
仮設定テーブル43に入力された対応情報は次の内容である。V5インタフェースIDは78910である。該V5インタフェースIDで用いるように、予め設定されていた各リンクIDにポート番号を一時的に対応付ける。ここでは、１次リンクはID=200であり、ポート１に対応付ける。２次リンクはID=201であり、ポート２に対応付ける。３次リンクはID=202の１本であり、ポート３に対応付ける。V5リンク本数は以上に示した３リンクである。
【００４８】
S(31)：E1リンクをそれぞれのポートに接続する。これは、AN 10とLE 20の各ポートとを物理的にケーブル等で接続することを意味する。
【００４９】
S(32)：E1リンクフラグがポート１のE1リンクインタフェース部11にて検出されたとする。ここで、E1リンクフラグは、対向装置とE1インタフェースにて通信可能であることを示すフラグである。
【００５０】
S(33)：該E1リンクフラグの検出によって、システム制御部14を介してV5.2プロトコル制御部13はV5.2プロトコル処理部12を制御し、該ポート１の１次リンクID=200に対して立上げ手順を開始する。通信制御プロトコルパスの確立ができたとする。これは、このリンクがLE20側の１次リンクであることを意味する。
【００５１】
S(34)：システム制御部14は仮設定テーブル41の情報に基づいて、１次リンクのリンクIDについて、リンクID検証手順を実施するようにV5.2プロトコル制御部13を制御する。V5.2プロトコル処理部12は、通信制御プロトコルパスが確立しているポート１を用いて、１次リンクに対してリンクID検証手順を実施する。即ち、FE-ID Req :LINK ID=200を、通信制御プロトコルパスを介して送信する。LE 20は該FE-ID Req :LINK ID=200を受信すると、LE 20において設定されているLINK ID=200に対応するリンクの送信するTS0のSa7ビットの値を“0”にする。他のリンクIDを有するリンクではTS0のSa7ビットの値は“1”である。そしてLE 20はAN 10に対して、FE-ID Ack :LINK ID=200を、通信制御プロトコルパスを介して返信する。AN 10は上記で送信したFE-ID Req :LINK ID=200に対する応答を待っており、LE 20から上記のFE-ID Ack :LINK ID=200を受信した際に、全てのE1リンクのTS0のSa7ビットを監視して、“0”となるE1リンクを検出する。本実施例では、ポート１に対応するリンクのSa7ビットで“0”が検出され、このリンクがLINK ID=200の１次リンクであることが確認される。そして、リンクID検出手順の終了処理として、AN 10はFE-ID Rel :ID=200を、通信制御プロトコルパスを介して送信する。LE 20は該FE-ID Rel :LINK ID=200を受信すると、LINK ID=100に該当するリンクの送信するE1リンクのTS0のSa7ビットの値を“1”にする。（なお、S(34)の手順は図９にて説明した手順と同じである。）
S(35)：該TS0のSa7ビットが“0”になり“1”となったE1リンクがポート１のE1リンクであることをシステム制御部14が認識し、運用設定テーブル42の１次リンクID=200に対するポート番号をポート１に決定し、書き込む。
【００５２】
S(36)：システム制御部14は仮設定テーブル41の情報に基づいて、２次リンクのリンクIDについて、リンクID検証手順を実施するようにV5.2プロトコル制御部13を制御する。V5.2プロトコル処理部12は、通信制御プロトコルパスが確立しているポート１を用いて、２次リンクに対してリンクID検証手順を実施する。即ち、FE-ID Req :LINK ID=201を、通信制御プロトコルパスを介して送信する。LE 20は該FE-ID Req :LINK ID=201を受信すると、LE 20において設定されているLINK ID=201に対応するリンクの送信するTS0のSa7ビットの値を“0”にする。他のリンクIDを有するリンクではTS0のSa7ビットの値は“1”である。そしてLE 20はAN 10に対して、FE-ID Ack :LINK ID=201を、通信制御プロトコルパスを介して返信する。AN 10は上記で送信したFE-ID Req :LINK ID=201に対する応答を待っており、LE 20から上記のFE-ID Ack :LINK ID=201を受信した際に、全てのE1リンクのTS0のSa7ビットを監視して、“0”となるE1リンクを検出する。本実施例では、ポート３に対応するリンクのSa7ビットで“0”が検出され、このリンクがLINK ID=201の２次リンクであることが確認される。そして、リンクID検出手順の終了処理として、AN 10はFE-ID Rel :ID=201を、通信制御プロトコルパスを介して送信する。LE 20は該FE-ID Rel :LINK ID=201を受信すると、LINK ID=201に該当するリンクの送信するE1リンクのTS0のSa7ビットの値を“1”にする。（なお、S(36)の手順は図９にて説明した手順と同じである。）
S(37)：該TS0のSa7ビットが“0”になり“1”となったE1リンクがポート３のE1リンクであることをシステム制御部14が認識し、運用設定テーブル42の２次リンクID=201に対するポート番号をポート３に決定し、書き込む。
【００５３】
S(38)：システム制御部14は仮設定テーブル41の情報に基づいて、３次リンクのリンクIDについて、リンクID検証手順を実施するようにV5.2プロトコル制御部13を制御する。V5.2プロトコル処理部12は、通信制御プロトコルパスが確立しているポート１を用いて、３次リンクに対してリンクID検証手順を実施する。即ち、FE-ID Req :LINK ID=202を、通信制御プロトコルパスを介して送信する。LE 20は該FE-ID Req :LINK ID=202を受信すると、LE 20において設定されているLINK ID=202に対応するリンクの送信するTS0のSa7ビットの値を“0”にする。他のリンクIDを有するリンクではTS0のSa7ビットの値は“1”である。そしてLE 20はAN 10に対して、FE-ID Ack :LINK ID=202を、通信制御プロトコルパスを介して返信する。AN 10は上記で送信したFE-ID Req :LINK ID=202に対する応答を待っており、LE 20から上記のFE-ID Ack :LINK ID=202を受信した際に、全てのE1リンクのTS0のSa7ビットを監視して、“0”となるE1リンクを検出する。本実施例では、ポート３に対応するリンクのSa7ビットで“0”が検出されなかった。
【００５４】
S(39)：他の全てのE1リンクのTS0のSa7ビットに“0”を検出できなかった。これは、LE 20において設定されているLINK ID=202に対応するリンクが何らかの要因で接続されていないことを意味する。システム制御部14は、運用設定テーブル42の３次リンクID=202はリンク不良であることを決定し、書き込む。
【００５５】
以上のシーケンスによって、運用設定テーブル42は図４に示すような現状の接続状態を反映した対応情報になっている。よって、運用設定テーブル42の対応情報に基づいた集線等の制御が可能となる。
【００５６】
以上の実施例１、実施例２にて説明した加入者線伝送装置の制御シーケンスに基づいた加入者線伝送装置のリンク設定の動作フローについて説明する。
【００５７】
図６は加入者線伝送装置におけるリンク設定の動作フローを説明する図である。
【００５８】
ステップ10（以降ST10と記載する）：V5.2インタフェースにおいて対向する加入者交換機(LE 20)のリンクIDとポート番号との対応情報に基づいて、一時的に対応付けられた加入者線伝送装置(AN 10)の該対応情報がオペレーション台40から入力され、システム制御部14の仮設定テーブルに格納される。また、V5.2インタフェースのE1リンクが該当するポートに接続される。
【００５９】
ST11：通信制御プロトコルパスの立上げ手順の実施に際し、E1リンクフラグを検出する。
【００６０】
ST12：前記ST11においてE1リンクフラグが検出されなかった場合、もしくはST14にて該当するE1リンクにて１次リンクが確立できなかった場合、次のE1リンクに移行する。
【００６１】
ST13：前記ST11においてE1リンクフラグが検出された場合、該当するE1リンクの通信制御プロトコルパスの立上げ手順を実施する。
【００６２】
ST14：該立上げ手順の結果、１次リンクとして通信制御プロトコルパスが確立したかを判断する。
【００６３】
ST15：前記ST14において１次リンクが確立した場合、１次リンクから順次、リンクID検証手順（ST151−ST156）を実施する。
【００６４】
ST151：該１次リンクの通信制御プロトコルパスを介して、該当するE1リンクに対して、前記の実施例１、実施例２で説明したFE-ID Req送出、FE-ID Ack検出、FE-ID Rel送出の一連のシーケンスを実施する。
【００６５】
ST152：前記ST151のリンクID検証手順の実施の中で、全てのE1リンクのTS0のSa7ビットの変化（“1”から“0”へ）を検出する。
【００６６】
ST153：前記ST152において該当するV5.2インタフェースのE1リンクのいずれにも該Sa7ビットの変化が検出されなかった場合、前記ST151の該当するE1リンクについてはリンク不良と判断する。そして次のリンクのリンクID検証手順を実施するべく戻る。
【００６７】
ST154：前記ST152において、該Sa7ビットの該変化が検出されたポートのポート番号とリンクIDとの対応が、前記ST10の仮設定テーブルに格納されているリンクIDとポート番号との対応に等しいかを判断する。
【００６８】
ST155：前記ST154において等しいと判断された場合、該当するリンクIDに関する仮設定テーブルに格納されている対応情報を運用設定テーブルに格納する。そして次のリンクのリンクID検証手順を実施するべく戻る。
【００６９】
ST156：前記ST154において等しくないと判断された場合、前記ST152においてSa7ビットの変化が検出されたポートのポート番号と本手順の該当するリンクIDとの対応情報を運用設定テーブルに格納する。そして次のリンクのリンクID検証手順を実施するべく戻る。
【図面の簡単な説明】
【００７０】
【図１】加入者線伝送装置（AN）の構成を説明する図
【図２】リンクIDとポート番号との対応情報を説明する図（１）
【図３】制御シーケンスを説明する図（１）
【図４】リンクIDとポート番号との対応情報を説明する図（２）
【図５】制御シーケンスを説明する図（２）
【図６】加入者線伝送装置におけるリンク設定の動作フローを説明する図
【図７】V5.2インタフェースを説明する図
【図８】V5.2インタフェース適用構成を説明する図
【図９】リンクID検証手順を説明する図
【符号の説明】
【００７１】
1    アクセスネットワーク
10    加入者線伝送装置
11    E1リンクインタフェース部
12    V5.2プロトコル処理部
13    V5.2プロトコル制御部
14    システム制御部
15    集線部
16    加入者回路
20    加入者交換機
30    加入者端末
40    オペレーション台
41、43    仮設定テーブル
42、44    運用設定テーブル
【図１】
2006261972.tif 000003
【図２】
2006261972.tif 000004
【図３】
2006261972.tif 000005
【図４】
2006261972.tif 000006
【図５】
2006261972.tif 000007
【図６】
2006261972.tif 000008
【図７】
2006261972.tif 000009
【図８】
2006261972.tif 000010
【図９】
2006261972.tif 000011